(57)【要約】      （修正有）【課題】生花の鮮度を良好に保持して持ち運ぶことができ、かつ生花の出し入れが容易であって、しかも持ち運びが簡便である生花包装袋を提供する。【解決手段】重ねたプラスチックシート片の周縁部を閉塞して形成された包装袋本体４を有し、この包装袋本体４の表面にプラスチックシート片の端部どうしが重なり合う部分８を形成して開口部３が形成されている。その包装袋本体４の上部には、提げ手５が装着されている。【選択図】図４
0003164414.tif 000002
【実用新案登録請求の範囲】
【請求項１】
重ねたプラスチックシート片の周縁部を閉塞して生花収容部を形成した包装袋本体を有し、この包装袋本体の表面にプラスチックシート片の端部どうしが重なり合う部分を形成し、この重なり合う部分を開口部としたことを特徴とする生花包装袋。
【請求項２】
プラスチックシート片の両側を折返しこの折返し端部どうしを重ねて他方の開放する端部を封止して生花収容部を形成した包装袋本体を有し、その折返し端部の重なり合う部分を開口部とした請求項１に記載の生花包装袋。
【請求項３】
包装袋本体の縦方向ほぼ中央部に開口部を設けた請求項１または２に記載の生花包装袋。
【請求項４】
包装袋本体を透明または半透明にした請求項１ないし３のいずれかに記載の生花包装袋。
【請求項５】
包装袋本体の上部に提げ手を設けた請求項１ないし４のいずれかに記載の生花包装袋。
【請求項６】
包装袋本体の下部側面に下方に向けて幅狭となるよう斜状部を設けた請求項１ないし５のいずれかに記載の生花包装袋。
【考案の詳細な説明】
【技術分野】
【０００１】
本考案は、切花、ブーケ、アレンジメント等の生花を良好な状態で保持し、簡便に持ち運ぶことができる生花包装袋に関する。
【背景技術】
【０００２】
生花は、自宅用、墓用として、あるいはコンサート等のイベントや冠婚葬祭時の贈呈用等として広く用いられている。これらの生花を花屋等で購入する際には、店舗では、持ち運びやすいように生花を紙製やセロハン等のプラスチック製の包装材で包んだり、包んだ後にこれを更に紙袋に入れたり、あるいは有底や底のないプラスチック製の筒状の包装材に入れたりして販売されている。
【０００３】
このように、生花は、包装の際に、上方または上下両方が開口した包装材で収納されたり、上方が開放した袋に収納されたりしているために、持ち運ぶ時間が長いと花から水分が蒸発して花の鮮度が低下してしまうことがあり、また、生花全体を包装材や袋で包んだ場合には、包装内の温度が上昇して生花が蒸れて萎れた状態になったり、生花を取り出すのに手間がかかったりすることがあった。更に、生花を横倒した状態で持ち運ぶ場合には、生花全体の重みで花が潰れ整形を保つことができないこともあった。
【先行技術文献】
【特許文献】
【０００４】
【特許文献１】特開２００８−１７４２７５号公報
【考案の概要】
【考案が解決しようとする課題】
【０００５】
本考案は、これらの問題点を解消するものであり、生花の鮮度を良好に保持した状態で持ち運ぶことができ、生花の出し入れが容易であって、かつ持ち運びも簡便にできる生花包装袋を提供しようとするものである。
【課題を解決するための手段】
【０００６】
本考案は、重ねたプラスチックシート片の周縁部を閉塞して形成した包装袋本体を有し、その包装袋本体の表面にシート片が重なり合う部分を形成し、この部分を開口部とするようにしたものである。
【０００７】
また、本考案は、包装袋本体に提げ手を設け、更に、包装袋本体の下部に下方に向けて幅狭となる斜状部を設けるようにしたものである。
【０００８】
プラスチックシート片は、ＯＰＰ（ニ軸延伸ポリプロピレン）等のポリプロピレン、セロハン、ポリエチレン、ポリ塩化ビニールその他のプラスチックシート（フィルム）を単層で、あるいは異種素材のものを積層状態にして用いられる。なお、プラスチックシート片は、外から生花が見えるように、透明や半透明（遮光性のものを含む）にされているが、必要に応じて不透明のものとすることができる。
【０００９】
このプラスチックシート片を用いて包装袋本体を形成する場合は、例えば、横長矩形上のプラスチックシート片の左右両側を折返し、この折返しの端部どうしを重ね、開放する上下両側をヒートシール等の溶着、接着、粘着テープ等によって封止し周縁部を閉塞して生花収容部を形成する。あるいは、縦長矩形状のプラスチックシート二片を重ね、その上面側のシート片を二枚にして内方側の端部どうしを重ね、開放する四方の縁部をヒートシール等の溶着、接着、粘着テープ等によって封止し周縁部を閉塞して生花収容部を形成する。このようにして形成された包装袋本体は、そのプラスチックシート片の上面側端部どうしを重ね合わせた部分が生花を出し入れするための開口部となっている。なお、この開口部は、包装袋本体の縦方向中央部に設けたり、その中央部より左右に寄せた位置に設けたりすることができる。
【００１０】
包装袋本体は、通常、約５００ｍｍ（縦幅）×約４２０ｍｍ（横幅）、約７００ｍｍ（縦幅）×約５００ｍｍ（横幅）、約９００ｍｍ（縦幅）×約６００ｍｍ（横幅）等に形成され、またプラスチックシート片の上面側端部どうしを重ね合わせた部分が約１００ｍｍに形成されるが、これらの寸法のみに限定されるものではなく、その他適宜の寸法に形成することができる。また、包装袋本体の平面的形状は、矩形状や倒置台形状、野球のベース状、壺状その他の適宜の外形形状とすることができる。
【００１１】
包装袋本体は、種々の色にしたり、また表面に種々の模様や色彩を施したり、これに、宣伝広告の文字を表示したりすることができる。
【００１２】
包装袋本体の上部には、提げ手が設けられ、その提げ手を包装袋本体の左右上部側縁部間に渡すように装着したり、包装袋本体の上部の両表面にそれぞれ装着したりする。
【考案の効果】
【００１３】
本考案は、包装袋本体の表面に重ね合わせて形成した開口部が設けられているので、この開口部より生花を簡便に出し入れすることができ、また、この開口部と包装袋本体の周縁部の閉塞により、花からの水分の蒸発を適度に調節し花の鮮度を長く保持することができる。更に、包装袋本体の上部に提げ手が設けられているので、持ち運びやすく、携帯中に生花を潰したり傷めたりすることがない。また、包装袋本体の下部に斜状部が設けられているので、生花をその形態に合わせて収納することができ、生花を正位置に保持することができる。
【図面の簡単な説明】
【００１４】
【図１】包装袋の平面図である。
【図２】図１における包装袋の中央横端面図である。
【図３】提げ手を一部省略して示す平面図である。
【図４】提げ手付きの包装袋に生花を収納した状態を示す斜面図である。
【図５】包装袋の他の実施例を示す平面図である。
【考案を実施するための形態】
【００１５】
以下、実施例として、提げ手付きの生花包装袋の場合について説明する。
生花包装袋１は、図４に示すように、生花を収納する生花収容部１の表面に開口部２を設けた包装袋本体３（図１に示す）と、この包装袋本体７の上部に設けた提げ手８（図３に示す）を備えている。
【００１６】
この実施例では、包装袋本体４は、透明な横長矩形状のプラスチックシート片６の左右両側を内側に折返しその端部どうしを重ね、上下の開放する端部をヒートシール７し閉塞することによって生花収容部１が形成されており、その折返し端部の重なり合う部分８に開口部３が設けられている。
【００１７】
生花９は、一般に、選択された複数本の切花をまとめその下部の茎部を輪ゴムや紐、粘着テープ束ね、その切花の茎部の端部に水を含ませた紙や不織布、綿あるいはスポンジ等の保水材を当て、この切花を包装紙１０で包み、これをリボン１２等で結ぶようにして包装されている。
【００１８】
このようにして包装された生花９は、包装袋本体４に形成された開口部３より生花収容部２に収納される。
その際に、包装袋本体４の下部の左右隅部を内側に折り曲げ、この部分をセロハンテープ等の粘着材やシール等の貼着材１１を用いて包装袋本体４に貼着させたり、また、上記開口部４の一部にこの貼着材１１を貼着させたりする。
【００１９】
提げ手５は、図３に示すように、紐１２の両端部に剥離紙１３付きの粘着片１４が設けられており、この剥離紙１３を剥がし、粘着片１４を包装袋本体４の上部左右の縁部に貼着することによって包装袋本体４に装着される（図４）。
【００２０】
包装袋本体４内にアレンジメントを収納する場合は、包装袋本体４の底部を内方に押してマチ部を形成し、このマチ部によって形成された平坦な底部にアレンジメントを載置するようにする。
【００２１】
図５に示す包装袋本体４は、下部側面に下方に向けて幅狭となるように斜状部１５を設けた場合であり、これによって包装された生花がその形態に合わせて収納される。
【符号の説明】
【００２２】
１  生花包装袋    ２  生花収容部    ３  開口部    ４  包装袋本体    ５  提げ手    ６  プラスチックシート片    ７  ヒートシール    ８  重なり合う部分    ９  生花    １５  斜状部
【図１】
0003164414.tif 000003
【図２】
0003164414.tif 000004
【図３】
0003164414.tif 000005
【図４】
0003164414.tif 000006
【図５】
0003164414.tif 000007